(57)【要約】【課題】発光部の放熱性を向上させることができる照明器具を提供する。【解決手段】中央部に被取付部１１への取付部２１が設けられた器具本体２０に、被取付部側に凹部２６を形成するとともに被取付部側とは反対側に凸部２７を形成する段差部３０を設けた。そして、凹部２６に電源部２９を設けるとともに、凸部２７に発光部４０を設けた。このため、電源部２９と発光部４０とは、器具本体２０に対して反対側に設けられるので、発光部４０の放熱性が向上する。また、電源部２９を覆う蓋部材３１を設けたので、電源部２９に埃等が浸入するのを防止することができる。また、蓋部材３１は凹部２６の一部である電源部２９を覆うので、凹部２６における電源部２９以外の場所は露出し、放熱性が向上する。【選択図】図１
2015046324.tif 000002
【特許請求の範囲】
【請求項１】
中央部に被取付部への取付部が設けられた器具本体と、
前記器具本体に設けられ、被取付部側に凹部を形成するとともに被取付部側とは反対側に凸部を形成する段差部と、を有し、
前記段差部の凹部に設けられた電源部と、
前記段差部の凸部に設けられた発光部と、
前記取付部を迂回して前記凹部の少なくとも一部と、前記電源部とを覆う蓋部材と、を有する照明器具。
【請求項２】
請求項１に記載の照明器具において、
前記蓋部材に前記電源部が取り付けられている照明器具。
【請求項３】
請求項１または請求項２に記載の照明器具において、
前記蓋部材に壁部が設けられている照明器具。
【請求項４】
請求項３に記載の照明器具において、
前記壁部が平板である照明器具。
【請求項５】
請求項１から請求項４のうちのいずれか１項に記載の照明器具において、
前記凹部の平面輪郭が、円の一部を切欠く直線部と、前記円を前記直線部で切欠いた円弧部とを有する照明器具。
【発明の詳細な説明】
【技術分野】
【０００１】
本発明は、中央部に天井面等への取付部を有し、取付部の周囲に光源が円形に配置された照明器具に関するものである。
【背景技術】
【０００２】
従来、中央部に天井面等への取付部を有し、取付部の周囲に光源が円形に配置された照明器具が知られている（例えば、特許文献１参照）。
図８に示すように、特許文献１に記載の照明器具１００は、円形平板状の本体１０１を有する。本体１０１の略中央部に、円形状の開口１０２が形成されている。また、本体１０１の外周部下面には光源部（発光部）１０３が取付けられており、光源部１０３の内面側の平坦部１０４の外周側には、背面側へ向かう段差部１０５が形成されて樋状の凹部１０６が形成されている。
さらに、本体１０１の背面側には、弾性部材１０７が設けられている。
【０００３】
光源部１０３は、略サークル状の基板１０８と、この基板１０８に実装された複数の発光素子１０９を有する。
開口１０２には、天井面に設置された引掛シーリングボディ１１０に電気的かつ機械的に接続されるアダプタ１１１を備えている。
点灯装置（電源部）１１２は、アダプタ１１１の外側で、本体１０１の中央部下面に取り付けられてアダプタ１１１と電気的に接続されており、商用電源から電力の供給を受けて、光源部１０３に点灯電力を供給している。
【先行技術文献】
【特許文献】
【０００４】
【特許文献１】特開２０１２−１６０４５５号公報（第４図）
【発明の概要】
【発明が解決しようとする課題】
【０００５】
しかしながら、従来の照明器具１００においては、発光部（光源部１０３）および電源部（点灯装置１１２）を本体１０１に対して同じ側に設けているので、発光部が発する熱と電源部が発する熱とが影響し合う。
このため、発光部の放熱性が悪くなるという問題があった。
【０００６】
本発明は、従来の問題を解決するためになされたもので、発光部の放熱性を向上させることができる照明器具を提供することを目的とする。
【課題を解決するための手段】
【０００７】
本発明の照明器具は、中央部に被取付部への取付部が設けられた器具本体と、前記器具本体に設けられ、被取付部側に凹部を形成するとともに被取付部側とは反対側に凸部を形成する段差部と、を有し、前記段差部の凹部に設けられた電源部と、前記段差部の凸部に設けられた発光部と、前記取付部を迂回して前記凹部の少なくとも一部と、前記電源部とを覆う蓋部材と、を有するものである。
【０００８】
また、本発明の照明器具は、前記蓋部材に前記電源部が取り付けられているものである。
【０００９】
また、本発明の照明器具は、前記蓋部材に壁部が設けられているものである。
【００１０】
また、本発明の照明器具は、前記壁部が平板であるものである。
【００１１】
さらに、本発明の照明器具は、前記凹部の平面輪郭が、円の一部を切欠く直線部と、前記円を前記直線部で切欠いた円弧部とを有するものである。
【発明の効果】
【００１２】
本発明では、器具本体に、被取付部側に凹部を形成するとともに被取付部側とは反対側に凸部を形成する段差部を設け、凹部に電源部を設けるとともに、凸部に発光部を設けた。このため、電源部と発光部とは、器具本体に対して反対側に設けられるので、電源部が発する熱の影響を受けにくく、発光部の放熱性が向上するという効果を有する照明器具を提供できる。
【図面の簡単な説明】
【００１３】
【図１】本発明に係る実施形態の照明器具を天井面に取り付けた状態の断面図
【図２】本発明に係る実施形態の照明器具を上方から見た斜視図
【図３】本発明に係る実施形態の照明器具のカバーを外した状態を下方から見た斜視図
【図４】本発明に係る実施形態の照明器具を上方から見た分解斜視図
【図５】本発明に係る実施形態の照明器具を下方から見た分解斜視図
【図６】電源部が取り付けられた蓋部材を下方から見た斜視図
【図７】電源部が取り付けられた蓋部材を下方から見た分解斜視図
【図８】従来の照明器具の断面図
【発明を実施するための形態】
【００１４】
以下、本発明に係る実施形態の照明器具について、図面を用いて説明する。
図１に示すように、実施形態の照明器具１０は、被取付部である造営材として例えば天井面１１に取り付けて、主に下方を照明するのに用いることができる。
なお、以下の説明においては、照明方向である床側を「下」とし、天井面１１側を「上」とする。
なお、取付面が壁面の場合は、室内側は「下」となり、壁面側は「上」となる。
【００１５】
図１に示すように、照明器具１０は、天井面１１に取り付けられる器具本体２０を有する。
器具本体２０は、天井面１１に取り付けられている引掛シーリング１２に電気的かつ機械的に接続されるアダプタ（取付部）２１を中央部に有する。従って、アダプタ２１を引掛シーリング１２に接続することにより、器具本体２０は天井面１１に取り付けられる。
器具本体２０には、器具本体２０の前面を覆う有底円筒形状の透光性のカバー５０が着脱可能に取り付けられる。
【００１６】
図２および図４に示すように、器具本体２０は全体略円板状をしており、外周縁は同一平面上にある外周部２２を有する。外周部２２の上面には、複数個（ここでは、３個）の弾性部材２３が等間隔で取り付けられており、器具本体２０を天井面１１に取り付けた際に天井面１１に当接して、器具本体２０がぐらつかないように固定する（図１参照）。
外周部２２の内側には、内側に向かって下方に傾斜する円錐台形状の傾斜面２４が設けられており、傾斜面２４の内側には、中央に開口部２８を有する底面部２５が設けられている。これら外周部２２、傾斜面２４、底面部２５とで段差部３０が構成される。開口部２８にはアダプタ２１が取り付けられる（図５参照）。
【００１７】
器具本体２０は一般に一枚の金属板をプレス等により形成される。このため、図４および図５に示すように、段差部３０の上側、すなわち器具本体２０の天井面側には天井面から離れる方向に設けられた凹部２６が形成され（図４参照）、同時に、段差部３０は下側、すなわち器具本体２０の床面側において、床面側に突出した凸部２７を形成する（図５参照）。
器具本体２０の傾斜面２４には、一部直線状の直線傾斜面２４１が設けられており、外周部２２に拡幅部２２１が形成されている。従って、凹部２６の平面輪郭（外形）は、円の一部を切欠く凹部直線部（角部）２６１と、円を凹部直線部２６１で切欠いた凹部円弧部２６２を有する。凹部直線部２６１は、凹部２６を形成する円の接線と平行に設けるのが望ましい。外周部２２の幅は狭いほど器具の小型化を実現できる。本実施形態の場合、後述の取付具が少なくとも取付可能な幅を有している。
同様に、凸部２７の平面輪郭（外形）も、凸部直線部２７１および凸部円弧部２７２を有する（図５参照）。
凸部２７の凸部直線部２７１における外周縁、すなわち凹部２６の凹部直線部２６１に対応する位置には、リモコン受光部３５用の受光部用開口２７３が設けられている。この受光部用開口２７３は、後述する発光部４０の外側に位置する。
すなわち、受光部用開口２７３は、凹部直線部２６１および凹部円弧部２６２が交差する箇所で、かつ、その内側に設けられ、これによりリモコン受光部３５および発光部４０が互いに重ならない位置に配置されている。
【００１８】
器具本体２０の凹部２６には、電源部２９が設けられている。
図６および図７に示すように、電源部２９は、略矩形板状の回路基板２９１を有しており、回路基板２９１の一辺（辺部）２９２が、凹部２６の凹部直線部２６１に沿うように配置されている。回路基板２９１の下面には、電子部品およびリモコン受光部３５等が設けられている。
図４および図５に示すように、リモコン受光部３５は、器具本体２０の凸部２７に設けられている受光部用開口２７３に対応する位置に設けられている。すなわち、リモコン受光部３５は、発光部４０の輪郭の外側に位置し、発光部４０とは重ならない。
【００１９】
電源部２９は、金属性の蓋部材３１により上側が覆われている。すなわち、蓋部材３１は、器具本体２０の外周部２２における拡幅部２２１および拡幅部２２１に近接する外周部にねじ３１５で取り付けられており、アダプタ２１を迂回するように凹部直線部２６１および近傍の凹部２６を覆っている（図２参照）。
蓋部材３１の上面には弾性部材２３が配置されており（図２参照）、器具本体２０を天井面１１に取り付けた際に、弾性部材２３が蓋部材３１の外周面を器具本体２０の拡幅部２２１の上面に当接して押し付けるので、蓋部材３１が凹部内に脱落してしまうのを防止できる。
【００２０】
図６および図７に示すように、蓋部材３１には、蓋部材３１における凹部２６の中心側にできる空間を塞ぐ壁部３１３を設けるのが望ましい。壁部３１３は、蓋部材３１の縁部を下方へ折曲げることにより設けることができる。従って、壁部３１３は平面状であり、折曲げ線である稜線３１４（図４参照）は、直線となる。なお、稜線３１４は、凹部２６の凹部直線部２６１と平行に配置するのが望ましい。
あるいは、壁部３１３を別体で設けて、蓋部材３１に接合することもできる。
また、蓋部材３１の内面３１１には、所定の位置に下方へ突出する突起３１２が設けられている。ここでは、例えば３個の突起３１２が設けられている。
【００２１】
電源部２９は、絶縁部材３２を介して蓋部材３１の内面３１１に取り付けることができる。絶縁部材３２は、回路基板２９１を覆う大きさおよび形状をしており、蓋部材３１の内面３１１に設けられている突起３１２に対応した位置に、開口３２１が設けられている。
各開口３２１には、開口３２１に嵌合する放熱シート３３が設けられている。また、絶縁部材３２の外周部には、回路基板２９１を係止する係止爪３２２が設けられている。
【００２２】
従って、蓋部材３１の内面３１１に取り付けられた絶縁部材３２の係止爪３２２で回路基板２９１を係止することにより、電源部２９は蓋部材３１に取り付けられる。
このとき、蓋部材３１の突起３１２の先端面（下端面）は、絶縁部材３２の開口３２１に設けられている放熱シート３３を介して回路基板２９１に接触する。このため、回路基板２９１の熱は、放熱シート３３および突起３１２を介して蓋部材３１に伝達される。
従って、蓋部材３１に設ける突起３１２および放熱シート３３は、回路基板２９１において熱が多く発せられる部位あるいは部品に対応して設けるのが放熱性の面において効果的である。
【００２３】
図３および図５に示すように、器具本体２０の凸部２７には、発光部４０が取り付けられる。発光部４０は、ＬＥＤチップ４１を実装したＬＥＤ基板４２と、ＬＥＤ基板４２の前方（下方）を覆う透光性の発光部カバー４３を有する。
ＬＥＤ基板４２は、半円環状の実装基板４２１を２枚連結して、全体円環状を呈している。各実装基板４２１には、複数個のＬＥＤチップ４１が、円弧状に２列配置されている。
ＬＥＤチップ４１は、同一種類のものを用いることができるが、色が異なるものを配列することもできる。これにより、点灯するＬＥＤチップ４１を制御することにより、発光部４０が発する照明光の色を変えることができる。
【００２４】
ＬＥＤ基板４２の前方（下方）には、透光性を有する円環状の発光部カバー４３が設けられている。これにより、発光部４０の配光を制御する。
発光部カバー４３には、円環から外側に突出して、リモコン受光部用カバー４３１が設けられている。すなわち、リモコン受光部用カバー４３１は、発光部４０におけるＬＥＤ基板４２の外側に位置する。これにより、器具の小型化を図ることができる。
また、リモコン受光部用カバー４３１は、器具本体２０の凸部２７に設けられている受光部用開口２７３の下方に位置する。
従って、リモコン送信機（図示省略）からの信号は、リモコン受光部用カバー４３１から受光部用開口２７３を通って、リモコン受光部３５に受光される。
【００２５】
図３および図５に示すように、器具本体２０の下面における外周縁部には、カバー５０を器具本体２０に取り付けるための、取付具３４が設けられている。
取付具３４は、複数個（ここでは、例えば３個）設けられており、均等間隔で設けられている。
これにより、カバー５０は、器具本体２０に着脱可能に取り付けられる。
【００２６】
次に、照明器具１０の作用効果について説明する。
照明器具１０は、中央部に天井面１１へのアダプタ２１が設けられた器具本体２０に、天井面１１側に凹部２６を形成するとともに天井面１１側とは反対側に凸部２７を形成する段差部３０を設けた。
そして、凹部２６に電源部２９を設けるとともに、凸部２７に発光部４０を設けた。
このため、電源部２９と発光部４０とは、器具本体２０に対して反対側に設けられるので、発光部４０の放熱性が向上する。
また、電源部２９を覆う蓋部材３１を設けたので、電源部２９に埃等が浸入するのを防止することができる。また、蓋部材３１は凹部２６の一部である電源部２９を覆うので、凹部２６における電源部２９以外の場所は露出し、放熱性が向上する。
【００２７】
また、照明器具１０は、蓋部材３１に電源部２９が取り付けられているので、蓋部材３１を取り付けることにより、容易に電源部２９を器具本体２０に取り付けることができる。
【００２８】
また、照明器具１０は、蓋部材３１に壁部３１３が設けられているので、埃が入りにくい。また、蓋部材３１の表面積が大きくなるので、放熱性が向上する。
【００２９】
また、照明器具１０は、壁部３１３が平板であるので、蓋部材３１の本体と壁部３１３との稜線３１４が直線になり、折り曲げにより容易に一体成形できる。
【００３０】
さらに、照明器具１０は、凹部２６の平面輪郭が、円の一部を切欠く凹部直線部２６１と、円を凹部直線部２６１で切欠いた凹部円弧部２６２とを有するので、凹部２６の方向性が容易に把握できる。
【００３１】
また、凹部２６の平面輪郭を、円の一部を切欠く凹部直線部２６１と、円を凹部直線部２６１で切欠いた凹部円弧部２６２とで形成し、電源部２９の略矩形状の回路基板２９１を、回路基板２９１の一辺２９２が凹部直線部２６１に沿うように配置した。
このため、回路基板２９１を容易に位置決めできる。
また、凸部２７において平面視で発光部４０と重ならない位置にリモコン受光部３５を設けた。
これにより、リモコン受光部３５へのリモコン信号が、発光部４０を通過しないので、発光部４０の影響を受けにくくして、安定した動作を確保することができる。
【００３２】
また、照明器具１０は、リモコン受光部３５は、凹部２６の平面輪郭を形成する凹部直線部２６１に対応する位置に配置されているので、設計上好ましい。
【００３３】
さらに、照明器具１０は、リモコン受光部３５は発光部４０の外側に配置されているので、発光部４０の影響を受けにくく、安定した動作を確保することができる。
【００３４】
本発明の照明器具は、前述した実施形態に限定されるものでなく、適宜な変形、改良等が可能である。
【符号の説明】
【００３５】
１０  照明器具
１１  天井面（被取付部）
２０  器具本体
２１  アダプタ（取付部）
２５  底面部
２６  凹部
２６１  凹部直線部（直線部）
２６２  凹部円弧部（円弧部）
２７  凸部
２９  電源部
３０  段差部
３１  蓋部材
３１３  壁部
４０  発光部
【図１】
2015046324.tif 000003
【図２】
2015046324.tif 000004
【図３】
2015046324.tif 000005
【図４】
2015046324.tif 000006
【図５】
2015046324.tif 000007
【図６】
2015046324.tif 000008
【図７】
2015046324.tif 000009
【図８】
2015046324.tif 000010